(57)【要約】      （修正有）【課題】被梱包物の入れ替えを抑制する効果を期待できる梱包材を提供する。【解決手段】梱包材１は、天板部７（壁面部）を備える。天板部７は、背面天部５４（第１接着部）、及び前面天部４４（第２接着部）を有している。背面天部５４、及び前面天部４４は、接着層Ｐを介して接着される。背面天部５４は、第１ベロ部５６を有している。第１ベロ部５６は、切込成形によってベロ状に形成される。前面天部４４は、第２ベロ部４６を有している。第２ベロ部４６は、切込成形によってベロ状に形成される。第１ベロ部５６は、第２ベロ部４６と逆方向にのびる。第１ベロ部５６の先端部は、第２ベロ部４６の先端部と重なり合う。【選択図】図３
2017197236.tif 000002
【特許請求の範囲】
【請求項１】
壁面部を備える梱包材であって、
前記壁面部は、第１接着部と、前記第１接着部に接着層を介して接着される第２接着部とを有し、
前記第１接着部は、ベロ状に切込成形された第１ベロ部を有し、
前記第２接着部は、ベロ状に切込成形された第２ベロ部を有し、
前記第１ベロ部は、前記第２ベロ部と逆方向にのび、
前記第１ベロ部の先端部は、前記第２ベロ部の先端部と重なり合う、梱包材。
【請求項２】
前記第１接着部は、前記第１ベロ部と逆方向にのびるようにベロ状に切込成形された第３ベロ部を有し、
前記第２接着部は、前記第２ベロ部と逆方向にのびるようにベロ状に切込成形された第４ベロ部を有し、
前記第３ベロ部の先端部は、前記第４ベロ部の先端部と重なり合う、請求項１に記載の梱包材。
【請求項３】
前記第１ベロ部と前記第３ベロ部とは、前記壁面部の中心線を挟んで形成され、
前記第２ベロ部と前記第４ベロ部とは、前記壁面部の前記中心線を挟んで形成される、請求項２に記載の梱包材。
【請求項４】
前記第１ベロ部、及び前記第３ベロ部は、前記壁面部の中心線から離れる方向に向かってのび、
前記第２ベロ部、及び前記第４ベロ部は、前記壁面部の前記中心線に向かってのびる、請求項２又は請求項３に記載の梱包材。
【請求項５】
前記第１ベロ部、前記第２ベロ部、前記第３ベロ部、及び前記第４ベロ部は、いずれも前記壁面部の中心線と直交する線上に成形される、請求項２〜請求項４のいずれかに記載の梱包材。
【発明の詳細な説明】
【技術分野】
【０００１】
本発明は、梱包材に関する。
【背景技術】
【０００２】
特許文献１に記載の易開封性容器は、矩形状の箱体であり、左右一対の側板と、前板と、後板と、上下一対の内蓋板と、上下一対の外蓋板とを備える。左右一対の側板は、左側の側板と、右側の側板とを含む。上下一対の内蓋板は、上側の内蓋板と、下側の内蓋板とを含む。上下一対の外蓋板は、上側の外蓋板と、下側の外蓋板とを含む。上側、及び下側の内蓋板は、それぞれ接着層を介して、上側、及び下側の外蓋板と接着される。
【０００３】
上側の外蓋板は、２枚の側板間に跨るジッパーを有する。ジッパーは、上側の外蓋板の中央部を通る。特許文献１に記載の易開封性容器は、上側の外蓋板の一部がジッパーに沿って切断されて開封される。また、特許文献１に記載の易開封性容器は、接着層が切断されても開封される。接着層は、上側の外蓋板と上側の内蓋板との間、又は、下側の外蓋板と下側の内蓋板との間に挿入される刃物によって切断される。刃物は、例えば、ペーパーナイフ、又はカッターナイフである。
【先行技術文献】
【特許文献】
【０００４】
【特許文献１】特開平８−２６２５８号公報
【発明の概要】
【発明が解決しようとする課題】
【０００５】
しかしながら、特許文献１に記載の梱包材（易開封性容器）は、接着層を切断して開封した後に、開封した形跡を残すことなく再封緘できる。梱包材は、切断された接着層に換えて新たな接着層が形成されて再封緘される。この結果、梱包材に梱包される被梱包物が入れ替えられるおそれがある。
【０００６】
本発明は上記課題に鑑みてなされたものであり、その目的は、被梱包物の入れ替えを抑制できる梱包材を提供することにある。
【課題を解決するための手段】
【０００７】
本発明の梱包材は、壁面部を備える。前記壁面部は、第１接着部、及び第２接着部を有する。前記第１接着部、及び前記第２接着部は、接着層を介して接着される。前記第１接着部は、ベロ状に切込成形された第１ベロ部を有する。前記第２接着部は、ベロ状に切込成形された第２ベロ部を有する。前記第１ベロ部は、前記第２ベロ部と逆方向にのびる。前記第１ベロ部の先端部は、前記第２ベロ部の先端部と重なり合う。
【発明の効果】
【０００８】
本発明の梱包材によれば、被梱包物の入れ替えを抑制できる。
【図面の簡単な説明】
【０００９】
【図１】本発明の実施形態に係る梱包材を示す斜視図である。
【図２】図１の梱包材が展開されたシートを示す図である。
【図３】未接着状態の天板部を示す斜視図である。
【図４】天板部を示す一部拡大図である。
【図５】破断が生じた背面天部を示す斜視図である。
【発明を実施するための形態】
【００１０】
以下、図面を参照して本発明に係る実施形態を説明する。ただし、本発明は、以下の実施形態に限定されない。なお、図中、同一、又は相当部分については、同一の参照符号を付して説明を繰り返さない。
【００１１】
図１は、本発明の実施形態に係る梱包材１を示す斜視図である。図１に示すように、梱包材１は、矩形状の箱体に形成される。梱包材１は、２つの側板部２、３と、前板部４と、背板部５と、底板部６と、壁面部としての天板部７とを備える。梱包材１は、段ボールのような紙製である。梱包材１は、トナーカートリッジのような被梱包物の梱包に用いられる。
【００１２】
図１において、前板部４と背板部５とが対向する方向を前後方向Ｘとする。また、水平方向において、前後方向Ｘと直交する方向を左右方向Ｙとする。前後方向Ｘ、及び左右方向Ｙと直交する方向を上下方向Ｚとする。
【００１３】
図２は、図１の梱包材１が展開されたシート１０を示す図である。詳しくは、図２は、展開された梱包材１の内表面を示す図である。梱包材１は、シート１０が図２に示す鎖線で折り曲げられて形成される。また、梱包材１は、シート１０の一部が、糊のような接着層を介して接着されて形成される。シート１０は、鎖線によって、２つの側部２１、３１と、前部４１と、背部５１と、接着部８とに区分される。側部２１と、前部４１と、側部３１と、背部５１と、接着部８とは、この順に左右方向Ｙに連接している。シート１０の厚さは、例えば、５ｍｍである。
【００１４】
側部２１は、鎖線によって、側板部２と、側面底部２３と、側面天部２４とに区分される。側板部２は、矩形状に区分される。側面天部２４と、側板部２と、側面底部２３とは、この順に上下方向Ｚに連接している。
【００１５】
側部３１は、鎖線によって、側板部３と、側面底部３３と、側面天部３４とに区分される。側板部３は、矩形状に区分される。側面天部３４と、側板部３と、側面底部３３とは、この順に上下方向Ｚに連接している。
【００１６】
背部５１は、鎖線によって、背板部５と、背面底部５３と、第１接着部としての背面天部５４とに区分される。背板部５は、矩形状に区分される。背面天部５４と、背板部５と、背面底部５３とは、この順に上下方向Ｚに連接している。
【００１７】
前部４１は、鎖線によって、前板部４と、前面底部４３と、第２接着部としての前面天部４４とに区分される。前板部４は、矩形状に区分される。前面天部４４と、前板部４と、前面底部４３とは、この順に上下方向Ｚに連接している。
【００１８】
接着部８は、予め設定された幅に形成される。接着部８の外面には、糊のような接着層が形成される。接着層は、例えば、塗布処理のような積層処理によって形成される。接着部８は、梱包材１を組み立てる際に、接着層を介して側板部２の内面に接着される。なお、接着部８は、接着部８の内面に接着層が形成される態様であってもよい。接着部８は、内面に接着層が形成された場合に、接着層を介して側板部２の外面に接着される。
【００１９】
各側面底部２３、３３は、それぞれ先端部に左右方向Ｙに突出する凸部を有する。また、背面底部５３は、先端部に凹部を有する。梱包材１を組み立てる際には、背面底部５３が折り曲げられた後に、各側面底部２３、３３が折り曲げられる。各側面底部２３、３３の凸部は、背面底部５３の凹部を介して背面底部５３の内側に挿入される。また、各側面底部２３、３３の凸部が背面底部５３の内側に挿入された後に、前面底部４３が折り曲げられる。前面底部４３の先端部は、背面底部５３の凹部を介して背面底部５３の内側に挿入される。この結果、各側面底部２３、３３、前面底部４３、及び背面底部５３は、底板部６を形成する。なお、底板部６は、前面底部４３の先端部の外面に接着層が形成され、前面底部４３の先端部と背面底部５３の内面とが接着されて形成される態様であってもよい。
【００２０】
図３は、未接着状態の天板部７を示す図である。図３に示すように、シート１０から梱包材１が形成される際には、底板部６が形成された後に、梱包材１の内部に被梱包物が載置されて、各側面天部２４、３４が閉じられる。次に、前面天部４４が閉じられた後に、背面天部５４が閉じられる。背面天部５４の内面には、接着層Ｐが形成される。したがって、背面天部５４が閉じられた際に、背面天部５４は、接着層Ｐを介して前面天部４４に接着される。この結果、各側面天部２４、３４、前面天部４４、及び背面天部５４は、天板部７を形成し、梱包材１は、封緘される。
【００２１】
背面天部５４は、開封部５５を有する。開封部５５は、一対のミシン目部５５ａと、切断部５５ｂとを有する。ミシン目部５５ａは、左右方向Ｙに沿って背面天部５４に切込成形される。ミシン目部５５ａは、背面天部５４の左右の縁にわたって形成される。ミシン目部５５ａは、背面天部５４の前後方向Ｘの中央部に形成される。切断部５５ｂは、ミシン目部５５ａが形成されることによって、ミシン目部５５ａの間に形成される。
【００２２】
接着層Ｐは、開封部５５よりも先端側に形成される。接着層Ｐは、例えば、塗布処理のような積層処理によって、背面天部５４に形成される。この結果、開封部５５の切断部５５ｂがミシン目部５５ａに沿って切断されることにより、封緘された梱包材１が開封される。なお、接着層Ｐは、前面天部４４の基端側の外面に形成される態様であってもよい。
【００２３】
背面天部５４は、第１ベロ部５６を更に有する。前面天部４４は、第２ベロ部４６を有する。背面天部５４は、第３ベロ部５７を更に有する。前面天部４４は、第４ベロ部４７を更に有する。第１ベロ部５６、及び第３ベロ部５７は、背面天部５４に切込成形によってベロ状に形成される。第２ベロ部４６、及び第４ベロ部４７は、前面天部４４に切込成形によってベロ状に形成される。第１ベロ部５６は、背面天部５４が閉じられた際に、第２ベロ部４６と逆方向にのびる。第１ベロ部５６は、第３ベロ部５７と逆方向にのびる。第２ベロ部４６は、第４ベロ部４７と逆方向にのびる。
【００２４】
第１ベロ部５６、及び第３ベロ部５７は、背面天部５４において、開封部５５よりも先端側に形成される。また、第２ベロ部４６、及び第４ベロ部４７は、前面天部４４において、背面天部５４が閉じられた際の開封部５５よりも基端側に形成される。
【００２５】
第１ベロ部５６、及び第３ベロ部５７は、天板部７の中心線から離れる方向に向かってのびる。また、第２ベロ部４６、及び第４ベロ部４７は、天板部７の中心線に向かってのびる。天板部７の中心線は、天板部７の左右方向Ｙの中心を通って前後方向Ｘに沿ってのびる直線である。
【００２６】
第１ベロ部５６の先端部は、背面天部５４が閉じられた際に、第２ベロ部４６の先端部と重なり合う。したがって、第１ベロ部５６の先端部と第２ベロ部４６の先端部とは、接着層Ｐを介して接着される。また、第３ベロ部５７の先端部は、背面天部５４が閉じられた際に、第４ベロ部４７の先端部と重なり合う。したがって、第３ベロ部５７の先端部と第４ベロ部４７の先端部とは、接着層Ｐを介して接着される。
【００２７】
続いて、図４を参照して、刃物Ｋにより接着層Ｐを切断して梱包材１を開封する際に、第１ベロ部５６と第２ベロ部４６とに作用する力について説明する。図４は、天板部７を示す一部拡大図である。詳しくは、図４は、天板部７の第１ベロ部５６に近い縁側から、接着層Ｐが刃物Ｋによって切断される様子を示している。梱包材１は、天板部７の接着層Ｐを、刃物Ｋで切断しても開封される。接着層Ｐは、前面天部４４と背面天部５４との間に挿入される刃物Ｋによって切断される。刃物Ｋは、例えば、ペーパーナイフ、又はカッターナイフである。
【００２８】
図４に示すように、天板部７の第１ベロ部５６に近い縁側から接着層Ｐを切断する場合に、刃物Ｋは、第１ベロ部５６、又は第２ベロ部４６のいずれかと接触する。第１ベロ部５６と第２ベロ部４６とは、接着層Ｐによって接着されているために、刃物Ｋが接着層Ｐを切断する力は、第１ベロ部５６を引っ張るように背面天部５４に作用する。この結果、接着層Ｐを切断した場合、刃物Ｋが接着層Ｐを切断する力によって、背面天部５４の第１ベロ部５６付近に破断が生じる。
【００２９】
また、接着層Ｐを切断する場合に、刃物Ｋは、第１ベロ部５６、又は第２ベロ部４６のいずれかと接触した後に、第３ベロ部５７、又は第４ベロ部４７のいずれかと接触する。第３ベロ部５７と第４ベロ部４７とは、接着層Ｐによって接着されているために、第３ベロ部５７の先端部には、刃物Ｋが接着層Ｐを切断する力によって破断が生じる。
【００３０】
図５は、破断が生じた背面天部５４を示す斜視図である。図５に示すように、本実施形態の梱包材１は、接着層Ｐを切断して開封した場合に、背面天部５４に破断が生じる。したがって、新たな接着層Ｐを形成して、梱包材１を再封緘しても、背面天部５４の破断の形跡を目視にて確認できる。この結果、本実施形態の梱包材１は、開封した形跡を残さずに再封緘し難く、被梱包物が入れ替えられるのを抑制できる。
【００３１】
なお、天板部７の第３ベロ部５７に近い縁側から接着層Ｐを切断する場合には、天板部７の第１ベロ部５６に近い縁側から接着層Ｐを切断する場合と背面天部５４に生じる破断の位置が異なる。天板部７の第３ベロ部５７に近い縁側から接着層Ｐを切断する場合には、刃物Ｋが接着層Ｐを切断する力は、第３ベロ部５７を引っ張るように背面天部５４に作用する。したがって、背面天部５４には、第３ベロ部５７付近に破断が生じる。
【００３２】
また、刃物Ｋは、第３ベロ部５７、又は第４ベロ部４７のいずれかと接触した後に、第１ベロ部５６、又は第２ベロ部４６のいずれかと接触する。したがって、第１ベロ部５６の先端部には、刃物Ｋが接着層Ｐを切断する力によって破断が生じる。この結果、本実施形態の梱包材１は、接着層Ｐが左右方向Ｙの一方側、及び他方側のいずれの側から切断された場合であっても、開封した形跡を残さずに再封緘し難く、被梱包物が入れ替えられるのを抑制できる。
【００３３】
第１ベロ部５６と第３ベロ部５７とは、天板部７の左右方向Ｙの中心線を挟んで形成される。また、第２ベロ部４６と第４ベロ部４７とは、天板部７の左右方向Ｙの中心線を挟んで形成される。この結果、例えば、各ベロ部を避けて接着層Ｐの一部だけを切断して、背面天部５４に破断の形跡を残さずに梱包材１が開封されることが抑制される。
【００３４】
第１ベロ部５６、第２ベロ部４６、第３ベロ部５７、及び第４ベロ部４７は、背面天部５４が閉じられた際に、いずれも天板部７の中心線と直交する１本の線上に位置する。この結果、背面天部５４が閉じられた際に、第１ベロ部５６の先端部と第２ベロ部４６の先端部とが接着層Ｐを介して確実に接着される。また、第３ベロ部５７の先端部と第４ベロ部４７の先端部とが接着層Ｐを介して確実に接着される。
【００３５】
以上、図１から図５を参照して、本実施形態に係る梱包材１について説明した。但し、本発明は、上記の実施形態に限られるものではなく、その要旨を逸脱しない範囲で種々の態様において実施することが可能である。
【００３６】
例えば、本発明の実施形態では、背面天部５４に、第１ベロ部５６、及び第３ベロ部５７が形成され、前面天部４４に、第２ベロ部４６、及び第４ベロ部４７が形成されたが、本発明はこれに限定されない。側板部２に、第１ベロ部５６、及び第３ベロ部５７が形成され、接着部８に、第３ベロ部５７、及び第４ベロ部４７が形成される態様であってもよい。また、背面底部５３に、第１ベロ部５６、及び第３ベロ部５７が形成され、前面底部４３に、第３ベロ部５７、及び第４ベロ部４７が形成されて、前面底部４３と背面底部５３とが接着層を介して接着される態様であってもよい。
【００３７】
また、例えば、本発明の実施形態では、第１ベロ部５６、第２ベロ部４６、第３ベロ部５７、及び第４ベロ部４７が形成されたが、本発明はこれに限定されない。第１ベロ部５６、及び第２ベロ部４６のみ形成される態様であってもよい。又は、第３ベロ部５７、及び第４ベロ部４７のみ形成される態様であってもよい。
【００３８】
また、例えば、本発明の実施形態では、背面天部５４に、第１ベロ部５６、及び第３ベロ部５７が形成され、前面天部４４に、第２ベロ部４６、及び第４ベロ部４７が形成されたが、本発明はこれに限定されない。背面天部５４に３つ以上のベロ部が形成され、前面天部に３つ以上のベロ部が形成される態様であってもよい。
【００３９】
また、接着層Ｐが切断された際に、背面天部５４の破断を促すとの観点から、例えば、第１ベロ部５６、又は第３ベロ部５７の基端部に、ミシン目のような破断部が形成される態様であってもよい。
【００４０】
なお、図面は、理解しやすくするために、それぞれの構成要素を主体に模式的に示しており、図示された各構成要素の厚み、長さ等は、図面作成の都合上から実際とは異なる。また、上記の実施形態で示す各構成要素の材質、及び形状等は一例であって、特に限定されるものではなく、本発明の効果から実質的に逸脱しない範囲で種々の変更が可能である。
【産業上の利用可能性】
【００４１】
本発明は、梱包材に有用である。
【符号の説明】
【００４２】
１        梱包材
７        天板部
４４      前面天部
４６      第２ベロ部
５４      背面天部
５６      第１ベロ部
Ｐ        接着層
【図１】
2017197236.tif 000003
【図２】
2017197236.tif 000004
【図３】
2017197236.tif 000005
【図４】
2017197236.tif 000006
【図５】
2017197236.tif 000007